(57)【要約】【課題】  １枚の映像データを圧縮録画するに際してシステムに負荷をかけずに、効率良くデータ圧縮する。【解決手段】  複雑度算出部２３と、複雑度を複数のグループに分割し、グループ毎に量子化テーブルを関連付けした第１対応表を記憶する第１記憶部２４と、第１対応表の中の量子化テーブルにより映像圧縮する第１圧縮部３１と、データサイズを大きさ別に複数のグループに分割してグループ毎に量子化テーブルを関連付けした第２対応表を記憶する第２記憶部２５と、第２対応表の中の量子化テーブルにより映像圧縮する第２圧縮部３２と、第１圧縮部の圧縮データ及び第２圧縮部の圧縮データのデータサイズを比較するサイズ比較部３４と、所定のデータサイズに近い方の圧縮データを録画部３５に記憶制御する映像圧縮制御部３６とを有する。【選択図】  図１
2011135493.tif 000002
【特許請求の範囲】
【請求項１】
来訪者が居住者を呼び出して通話するための玄関子機と、前記玄関子機からの呼び出しに応答して前記来訪者と通話するための居室親機とを有し、前記玄関子機は来訪者を撮像するためのカメラを備えると共に、前記親機は前記カメラの撮像映像を表示するモニタ及び圧縮した前記カメラの撮像映像を記憶する映像記憶部を備えたインターホンシステムであって、
前記居室親機は、前記カメラが撮像した映像信号の複雑度を算出する複雑度算出部と、
複雑度を大きさ毎に複数のグループに分割し、グループ毎に複数種類の量子化テーブルのうちの何れかを関連付けした第１対応表を記憶する第１記憶部と、
前記第１対応表の中の何れかの量子化テーブルにより前記映像信号を圧縮する第１圧縮部と、
データサイズを大きさ別に複数のグループに分割し、グループ毎に複数種類の量子化テーブルの何れかを関連付けした第２対応表を記憶する第２記憶部と、
前記第２対応表の中の何れかの量子化テーブルにより前記第１圧縮部で圧縮された映像を再圧縮する第２圧縮部と、
前記第１圧縮部の圧縮データ及び前記第２圧縮部の圧縮データのデータサイズを所定のデータサイズと比較するサイズ比較部と、
映像の圧縮及び記憶を制御する映像圧縮制御部とを有し、
前記映像圧縮制御部は、前記カメラの撮像映像信号の複雑度を基に、前記第１対応表から量子化テーブルを選択して前記第１圧縮部で圧縮させ、引き続き圧縮後のデータのデータサイズを基に前記第２対応表から選択した量子化テーブルを使用して、前記カメラの撮像映像信号を前記第２圧縮部で圧縮させ、
更に前記データサイズ比較部で前記第１圧縮部の圧縮データと前記第２圧縮部の圧縮データとを比較し、前記所定のデータサイズに近い方の圧縮データを前記映像記憶部に記憶制御することを特徴とするインターホンシステム。
【請求項２】
前記所定のデータサイズは一定の範囲を設けて設定され、
前記第１圧縮部で圧縮したデータサイズが前記一定の範囲内である場合は、前記映像圧縮制御部は前記第２圧縮部での圧縮を実施せずに前記映像記憶部に記憶制御することを特徴とする請求項１記載のインターホンシステム。
【請求項３】
前記第１記憶部が記憶する前記第１対応表は、複雑度のグループが異なる複数の対応表で構成される一方、
前記居室親機は、そのうちの１つを選択するための録画画質調整ボタンと、
前記録画画像調整ボタン操作を受けて、前記複雑度算出部が算出した複雑度を基に前記複数の第１対応表から１つの第１対応表を選択する第１対応表選択部とを有し、
前記第１圧縮部は、前記第１対応表選択部が選択した第１対応表を使用してデータ圧縮することを特徴とする請求項１又は２記載のインターホンシステム。
【請求項４】
前記居室親機は、前記カメラの撮像映像を複数エリアに分割する映像分割処理部と、
分割された夫々のエリアの映像の特定の複雑度を記憶する複雑度記憶部と、
前記複雑度記憶部に記憶されている複雑度と前記カメラが新たに撮像した映像から求めた複雑度とを前記エリア毎に比較して少なくとも１つのエリアを重点エリアに決定する複雑度比較部とを備える一方、
前記第１対応表は、夫々の複雑度のグループに対して重点エリア及びそれ以外のエリアに対応する２種類の量子化テーブルが関連付けされてなり、
前記映像圧縮制御部は、前記カメラの撮像映像信号の複雑度を基に、前記重点エリアとそうでないエリアに対応する量子化テーブルを前記第１対応表から夫々選択して前記第１圧縮部で圧縮させ、
引き続き圧縮後のデータのデータサイズを基に前記第２対応表から選択した量子化テーブルを使用して、前記カメラの撮像映像信号を前記第２圧縮部で圧縮させ、
更に前記データサイズ比較部で前記第１圧縮部の圧縮データと前記第２圧縮部の圧縮データとをエリア毎に比較し、所定のデータサイズに近い方の圧縮データを前記映像記憶部に記憶制御することを特徴とする請求項１乃至３の何れかに記載のインターホンシステム。
【発明の詳細な説明】
【技術分野】
【０００１】
本発明はインターホンシステムに関し、特に映像を圧縮録画する機能を有するインターホンシステムに関する。
【背景技術】
【０００２】
従来より、玄関子機にカメラを備えて、撮像した来訪者映像を居室親機で表示すると共に、メモリ等の録画部に録画するインターホンシステムがある。このようなシステムでは限られた録画容量に効率良く録画するために、画像或いは映像データを圧縮して録画する工夫が成された。
この圧縮形態としては、静止画を圧縮するＪＰＥＧ方式が広く採用されているが、映像データの複雑度が考慮されす特定の量子化テーブルを使用してデータ圧縮が行われていた。そのため、圧縮したデータサイズにはばらつきが発生し、期待したほど圧縮されなかったり、データが小さく成りすぎて撮像されている顔の判別が難しくなる場合が発生した。
尚、ＪＰＥＧ方式は静止画データを圧縮する方式であるが、インターホンではテレビ映像のような鮮明で滑らかな動画を必要としない。そのため、多数の静止画で形成される動画像で十分であり、ＪＰＥＧ方式によりデータ圧縮が有効となっている。
【０００３】
インターホンで来訪者映像を録画する場合、撮像した顔の判別が可能であればデータの圧縮率は大きくてかまわない。そのため、映像が大きく劣化せず且つデータサイズは小さくなるよう効率良く圧縮する方式が検討されている。このような圧縮を最適化する従来の方式としては、画像圧縮を行ったあとの圧縮データサイズから圧縮率を補正して圧縮を繰り返して圧縮効率を上げたり、圧縮データのデータサイズから量子化テーブルを演算して求め、原画像の圧縮率を決定して圧縮し、これを繰り返して目標とするデータサイズを得る方式があった（例えば、特許文献１参照）。
【先行技術文献】
【特許文献】
【０００４】
【特許文献１】特開２００１−１６９２８０号公報
【発明の概要】
【発明が解決しようとする課題】
【０００５】
上記の如くデータを圧縮処理することで、画像データのデータサイズを小さなデータサイズにして録画することができた。しかしながら、効率を上げるための上記方式、即ち圧縮を繰り返す方式は、１枚の画像データを何回も録画し最適なものを選択する操作や複雑な演算を行うため、システムに多大な負荷がかかることになる。また、圧縮データのデータサイズから量子化テーブルを演算する方式も、システムに対する負荷はある程度軽減されるが、それでも演算が複雑でありシステムにかかる負荷が大きい。
【０００６】
そこで、本発明はこのような問題点に鑑み、１枚の映像データを圧縮録画するに際してシステムに負荷をかけずに、効率良くデータ圧縮する録画機能を有するインターホンシステムを提供することを目的としている。
【課題を解決するための手段】
【０００７】
上記課題を解決する為に、請求項１の発明は、来訪者が居住者を呼び出して通話するための玄関子機と、玄関子機からの呼び出しに応答して来訪者と通話するための居室親機とを有し、玄関子機は来訪者を撮像するためのカメラを備えると共に、親機はカメラの撮像映像を表示するモニタ及び圧縮したカメラの撮像映像を記憶する映像記憶部を備えたインターホンシステムであって、居室親機は、カメラが撮像した映像信号の複雑度を算出する複雑度算出部と、複雑度を大きさ毎に複数のグループに分割し、グループ毎に複数種類の量子化テーブルのうちの何れかを関連付けした第１対応表を記憶する第１記憶部と、第１対応表の中の何れかの量子化テーブルにより映像信号を圧縮する第１圧縮部と、データサイズを大きさ別に複数のグループに分割し、グループ毎に複数種類の量子化テーブルの何れかを関連付けした第２対応表を記憶する第２記憶部と、第２対応表の中の何れかの量子化テーブルにより第１圧縮部で圧縮された映像を再圧縮する第２圧縮部と、第１圧縮部の圧縮データ及び第２圧縮部の圧縮データのデータサイズを所定のデータサイズと比較するサイズ比較部と、映像の圧縮及び記憶を制御する映像圧縮制御部とを有し、映像圧縮制御部は、カメラの撮像映像信号の複雑度を基に、第１対応表から量子化テーブルを選択して第１圧縮部で圧縮させ、引き続き圧縮後のデータのデータサイズを基に第２対応表から選択した量子化テーブルを使用して、カメラの撮像映像信号を第２圧縮部で圧縮させ、更にデータサイズ比較部で第１圧縮部の圧縮データと第２圧縮部の圧縮データとを比較し、所定のデータサイズに近い方の圧縮データを映像記憶部に記憶制御することを特徴とする。
この構成によれば、２回の圧縮操作で録画データサイズを所定の大きさに近づけることが可能となる。よって、システムに大きな負荷をかけること無く好ましいサイズに映像データを圧縮することができるし、データサイズを小さくし過ぎることがないため、撮像した来訪者の確認が難しくなるような事態を防ぐことができる。また、映像記憶部を有効に利用できる。
【０００８】
請求項２の発明は、請求項１に記載の構成において、所定のデータサイズは一定の範囲を設けて設定され、第１圧縮部で圧縮したデータサイズが一定の範囲内である場合は、映像圧縮制御部は第２圧縮部での圧縮を実施せずに映像記憶部に記憶制御することを特徴とする。
この構成によれば、１回の圧縮操作で録画データサイズが所定の大きさに近づいた場合は、２回目の圧縮操作を実施しない。よって、システムの負荷を更に軽減できる。
【０００９】
請求項３の発明は、請求項１又は２に記載の構成において、第１記憶部が記憶する第１対応表は、複雑度のグループが異なる複数の対応表で構成される一方、
居室親機は、そのうちの１つを選択するための録画画質調整ボタンと、
録画画像調整ボタン操作を受けて、複雑度算出部が算出した複雑度を基に複数の第１対応表から１つの第１対応表を選択する第１対応表選択部とを有し、
第１圧縮部は、第１対応表選択部が選択した第１対応表を使用してデータ圧縮することを特徴
とする。
この構成によれば、カメラが撮像する範囲の状況に合わせて最適な量子化テーブルを選択することができるので、１回目のデータ圧縮から目標とするデータサイズに近づけることが可能となる。そのため、録画画質を高品質に保つことができる。
【００１０】
請求項４の発明は、請求項１乃至３の何れかに記載の構成において、居室親機は、カメラの撮像映像を複数エリアに分割する映像分割処理部と、
分割された夫々のエリアの映像の特定の複雑度を記憶する複雑度記憶部と、
複雑度記憶部に記憶されている複雑度とカメラが新たに撮像した映像から求めた複雑度とをエリア毎に比較して少なくとも１つのエリアを重点エリアに決定する複雑度比較部とを備える一方、
第１対応表は、夫々の複雑度のグループに対して重点エリア及びそれ以外のエリアに対応する２種類の量子化テーブルが関連付けされてなり、
映像圧縮制御部は、カメラの撮像映像信号の複雑度を基に、重点エリアとそうでないエリアに対応する量子化テーブルを第１対応表から夫々選択して第１圧縮部で圧縮させ、
引き続き圧縮後のデータのデータサイズを基に第２対応表から選択した量子化テーブルを使用して、カメラの撮像映像信号を第２圧縮部で圧縮させ、
更にデータサイズ比較部で第１圧縮部の圧縮データと第２圧縮部の圧縮データとをエリア毎に比較し、所定のデータサイズに近い方の圧縮データを前記映像記憶部に記憶制御することを特徴
とする。
この構成によれば、カメラ撮像映像を複数のエリアに分割し、個々のエリアにおける複雑度の変化から最も変化のあるエリアを認識することで、来訪者が撮像されているエリアを認識することができる。そして、最も変化のあるエリアのみ高画質で圧縮録画する量子化テーブルを選択して圧縮することで、来訪者の識別をし易いし状態を保ちながら映像のデータサイズを十分小さくすることができる。
【発明の効果】
【００１１】
本発明によれば、最大２回の圧縮操作で録画データサイズを所定の大きさに近づけることが可能となる。よって、システムに大きな負荷をかけること無く好ましいサイズに映像データを圧縮することができるし、データサイズを小さくし過ぎることがないため、撮像した来訪者の確認が難しくなるような事態を防ぐことができる。また、映像記憶部を有効に利用できる。
【図面の簡単な説明】
【００１２】
【図１】本発明に係るインターホンシステムの第１の形態を示し、居室親機を回路ブロック図で示した構成図である。
【図２】複雑度をグループ分けして量子化テーブルを関連付けした第１対応表の説明図である。
【図３】データサイズ毎にグループ分けして量子化テーブルを関連付けした第２対応表の説明図である。
【図４】データ圧縮の流れを示すフローチャートである。
【図５】本発明に係るインターホンシステムの第２の形態を示し、居室親機を回路ブロック図で示した構成図である。
【図６】複雑度をグループ分けして量子化テーブルを関連付けした第１対応表の説明図である。
【図７】データサイズ毎にグループ分けして量子化テーブルを関連付けした第２対応表の説明図であり、（ａ）は目標サイズ４ｋｂの場合、（ｂ）は目標サイズ２ｋｂの場合を示している。
【図８】映像分割の様子を示す説明図である。
【図９】データ圧縮の流れを示すフローチャートである。
【発明を実施するための形態】
【００１３】
以下、本発明を具体化した実施の形態を、図面に基づいて詳細に説明する。図１は、本発明に係るインターホンシステムの第１の形態を示す構成図であり、来訪者が居住者を呼び出して通話する機能を備えた玄関子機１と、玄関子機１からの呼び出しに応答して来訪者と通話する機能を備えた居室親機２とで構成され、居室親機２を回路ブロック図で示している。
【００１４】
玄関子機１は、呼出ボタン１１、マイク１２、スピーカ１３、カメラ１４を備え、居室親機２とは伝送線Ｌ１で接続されている。
【００１５】
居室親機２は、インターホン部２１、映像入力部２２、複雑度算出部２３、第１記憶部２４、第２記憶部２５、第１対応表選択部２６、録画画質調整ボタン２７、第１圧縮部３１、第２圧縮部３２、サイズ算出部３３、サイズ比較部３４、録画部３５、映像圧縮制御部３６等を備えている。尚、これらの各回路は居室親機２全体を制御する図示しない親機ＣＰＵにより制御されて動作する。
【００１６】
インターホン部２１は、マイク，スピーカ等を有して玄関子機１からの呼び出しに応答する呼出通話などのインターホン機能を司っている。
映像入力部２２は、玄関子機１から伝送されたカメラ１４の撮像映像信号をデジタルデータに変換して出力する。
複雑度算出部２３は、デジタル映像データの複雑度を算出する。複雑度は、映像データを形成する画像データのＤＣＴ係数データのデータサイズと量子化スケールコードデータとを基に算出される。
【００１７】
第１記憶部２４は、後述する複雑度と量子化テーブルを関連付けた複数の第１対応表を記憶している。図２はこの第１対応表の一例を示し、第１記憶部２４は（Ａ）〜（Ｅ）の５種類の第１対応表を記憶している。それぞれ複雑度の範囲と量子化テーブルとの関連付けが異なり、発生し得る複雑度の範囲を複数のエリアに分割して量子化テーブルを対応付けている。個々の第１対応表は、圧縮後の映像データのデータサイズ（以下、単に「サイズ」とする。）が２０ｋｂに近づくよう関連付けられている。
【００１８】
具体的に、（Ａ）は複雑度０〜４５００００の場合、（Ｅ）は複雑度１７００００１以上の場合に、サイズを効果的に２０ｋｂに近いデータに圧縮するよう量子化テーブルが対応付けられている。尚、図示しないが（Ｂ）は複雑度４５０００１〜８０００００、（Ｃ）は複雑度８００００１〜１２０００００、（Ｄ）は複雑度１２００００１〜１７０００００、（Ｅ）は複雑度１７００００１以上の場合に、サイズを効果的に２０ｋｂに近いデータに圧縮するよう量子化テーブルが対応付けられている。例えば、カメラ１４が来訪者のいない待受時に撮像した映像に対して、複雑度算出部２３が算出した複雑度が４４００００だった場合、（Ａ）の第１対応表が選択され、その後のデータ圧縮の量子化テーブルの選択に使用される。
尚、対応表の中の量子化テーブルＱ８０，Ｑ７０，・・は、８０，７０等のパラメータ数が小さいほど圧縮率が高くなるよう設定されている。
【００１９】
第２記憶部２５は、第１圧縮部３１が圧縮したサイズを基に、圧縮後のサイズを更に目標とするサイズに近づけるための量子化テーブルを対応付けた第２対応表を記憶している。図３は第２対応表の一例を示し、第１圧縮部３１が圧縮したサイズ情報から、元データであるカメラ１４の撮像データを所定のサイズである２０ｋｂへ圧縮するために最適な量子化テーブルを関連付けた表である。但し、第１圧縮部３１が圧縮する際に使用した量子化テーブルからの増減で表している。
【００２０】
第１対応表選択部２６は、録画画質調整ボタン２７の操作を受けて、映像圧縮制御部３６を介して複雑度算出部２３にカメラ１４の撮像映像の複雑度を算出させる。そして、求めた複雑度を基に、第１記憶部２４に記憶された（Ａ）〜（Ｅ）の第１対応表から１つを選択して記憶する。
第１圧縮部３１は、複雑度算出部２３が算出した映像データの複雑度を基に、映像圧縮制御部３６が第１対応表から選択した量子化テーブルにより映像データをＪＰＥＧ画像へ圧縮する。また、圧縮したデータを一時保管する。
【００２１】
第２圧縮部３２は、第１圧縮部が圧縮したサイズから、第２記憶部２５に記憶された第２対応表を参照して、元データであるカメラ１４が撮像した映像データを所定のサイズへ圧縮するために最適な量子化テーブルを選択してＪＰＥＧ画像へ圧縮し、圧縮したデータを一時保管する。
【００２２】
サイズ算出部３３は、圧縮したサイズを算出し、サイズ比較部３４は、第１圧縮部３１と第２圧縮部３２の圧縮データのサイズを比較する。
また、録画部３５は、第１圧縮部３１が圧縮したデータか第２圧縮部３２が圧縮したデータのどちらかを保存する。
【００２３】
以下、上記構成のインターホンシステムの録画動作を説明する。図４は、この録画動作の流れを示すフローチャートであり、このフローに従って説明する。
最初に、５種類ある第１対応表（Ａ）〜（Ｅ）の中から最適な１つの第１対応表の選択が行われる。玄関子機１の設置環境、更には、昼や夜、天気が良好あるいは不良の場合などいくつかの特徴的な状況下において、最適なデータ圧縮を行うための量子化テーブルが異なるため、その設定を行う。
【００２４】
来訪者がいない待受時に、居住者により録画画質調整ボタン２７が押下されると、図示しない親機ＣＰＵの制御によりカメラ１４が撮像を開始する。そして、映像入力部２２がカメラ１４が撮像した映像データを取り込み、複雑度算出部２３が映像の複雑度を算出する。この時算出された複雑度が例えば４４００００だったとすると、（Ａ）〜（Ｅ）の第１対応表のうち、上述したように最も適した第１対応表は（Ａ）であるため、第１対応表選択部２６により第１記憶部２４から（Ａ）の第１対応表が選択され、記憶される（Ｓ１）。
【００２５】
この設定状態で、来訪者により玄関子機１の呼出ボタン１１が操作されると、居室親機２の映像入力部２２はカメラ１４からの映像を取り込み、複雑度算出部２３が映像の複雑度を算出する。その値が４４００００とすると、映像圧縮制御部３６は第１対応表選択部２６が選択した（Ａ）の第１対応表の４５００００以下の欄に関連付けられている量子化テーブル［Ｑ６０］を選択する（Ｓ２）。そして、第１圧縮部３１が、この選択された量子化テーブルＱ６０を用いて映像データをＪＰＥＧ画像へ圧縮し、一時保管する（Ｓ３）。
この第１圧縮部３１で圧縮されたデータサイズをサイズ算出部３３が算出し、サイズ比較部３４が２０ｋｂ以下でそれに近い設定範囲内（例えば、１７〜２０ｋｂ）であるか判断する（Ｓ４）。この設定範囲内であれば、映像圧縮制御部３６は、近いと判断して第１圧縮部３１が圧縮したデータを録画部３５へ保存する（Ｓ９）。
【００２６】
圧縮したデータサイズが、例えば１１．５ｋｂだった場合、サイズが上記設定範囲に収まっていないため、映像圧縮制御部３６は２回目のデータ圧縮を行うための量子化テーブルを決定する。具体的に、第２記憶部２５に記憶している第２対応表を見て、１２ｋｂ以下の欄に関連付けられている［＋１０］を選択する（Ｓ５）。この結果、第２圧縮部３２が、量子化テーブルを＋１０したＱ７０を使用して映像データをＪＰＥＧ画像へ圧縮し、一時保管する（Ｓ６）。また、サイズ算出部３３がサイズを算出する。
【００２７】
次に、サイズ比較部３４が第２圧縮部３２が圧縮したサイズと、最初に第１圧縮部３１が圧縮したサイズとを比較し（Ｓ７）、第２圧縮部３２が圧縮したサイズが１７．５ｋｂだったとすると、２０ｋｂに近いものは第２圧縮部３２の圧縮画像なので、それを録画部３５へ録画する（Ｓ８）。
但し、比較した結果、第１圧縮部３１の画像サイズの方が第２圧縮部３２の画像のサイズより２０ｋｂに近い場合は、第１圧縮部３１の圧縮データを録画部３５へ録画する（Ｓ９）。
【００２８】
このように、２回の圧縮操作でデータサイズを所定の大きさに近づけることができるし、１回の圧縮操作で録画データサイズが所定の大きさに近づいた場合は、２回目の圧縮操作を実施しないので、システムに大きな負荷をかけること無く好ましいサイズに映像データを圧縮することができる。その結果、映像を記憶する録画部３５を有効に利用できるし、データサイズを小さくし過ぎることがないため、撮像した来訪者の確認が難しくなるような事態を防ぐことができる。
また、カメラ１４が撮像する状況に合わせて最適な量子化テーブルを選択することが可能となり、玄関子機１が設置された環境や昼夜など時刻によって大きく左右される録画画質を、予め調整することができる。そのため、録画画質を常時高品質に保つことができる。
【００２９】
尚、上記実施形態では映像データの圧縮目標を２０ｋｂとして説明しているが、録画部３５の記憶容量によりこの値は任意に変更されるものである。
【００３０】
次に本発明に係るインターホンシステムの第２の形態を説明する。図５は、本発明に係るインターホンシステムの第２の形態を示す構成図であり、上記図１と同様に玄関子機１と、居室親機２ａとで構成され、居室親機２ａを回路ブロック図で示している。
玄関子機１の構成は上記第１の形態と同様であるが、居室親機２ａの構成が異なっている。居室親機２ａは、上記図１の構成に加えて図５に示すように、映像分割処理部４０、複雑度比較部４１、複雑度記憶部４２を備えている。尚、第１記憶部２４及び第２記憶部２５が記憶するデータは第１の形態とは異なるデータが記憶されている。
【００３１】
居室親機２ａは具体的に次のように構成されている。但し、上記第１の形態と共通する回路には同一の符号を付与し、相違する構成要素について説明する。
第１記憶部２４には図６に示すような第１対応表が記憶されている。上記第１の形態と同様に、発生し得る複雑度の範囲を複数のエリアに分割して量子化テーブルを対応付けた（Ａ）〜（Ｅ）の５種類の第１対応表が記憶されているが、量子化テーブルと複雑度の範囲の関係が第１の形態とは異なり、個々の第１対応表は圧縮後の映像データが４ｋｂ或いは２ｋｂに近づくよう関連付けられている。
具体的に、（Ａ）は複雑度０〜４５００００の場合、（Ｅ）は複雑度１７００００１以上の場合に、映像データを効果的に４ｋｂ或いは２ｋｂに近いデータに圧縮するよう量子化テーブルが対応付けられている。
尚、図示しないが（Ｂ）は複雑度４５０００１〜８０００００、（Ｃ）は複雑度８００００１〜１２０００００、（Ｄ）は複雑度１２００００１〜１７０００００の場合に、映像データを効果的に４ｋｂ或いは２ｋｂに近いデータに圧縮するよう量子化テーブルが対応付けられている。
【００３２】
第２記憶部２５には図７に示すような第２対応表が記憶されている。上記第１の形態と同様に、第１圧縮部３１が圧縮したデータサイズから、元データであるカメラ撮像データを所定のサイズへ圧縮するために最適な量子化テーブルが関連付けられた表であり、第１圧縮部３１が圧縮する際に使用した量子化テーブルからの増減で関連付けた表が記憶されている。図７（ａ）は目標サイズが４ｋｂの場合の第２対応表を示し、図７（ｂ）は目標サイズが２ｋｂの場合の第２対応表を示している。
【００３３】
映像分割処理部４０は、映像データの分割処理を実施し、図８に示すように１画面を９エリア（ａ１〜ａ９）に分割して９個の映像データとして出力する。
複雑度比較部４１は、９分割された各エリアに対して複雑度算出部２３が算出した複雑度と、複雑度記憶部４２に記憶されている複雑度とを比較して差を求め、差が最も大きいエリアを重点エリアに設定する。
複雑度記憶部４２は、録画画質調整ボタン２７の操作により複雑度算出部２３が算出した複雑度を記憶する。複雑度算出部２３が算出したエリア毎の複雑度が記憶される。
【００３４】
以下、この第２の形態のインターホンシステムの録画動作を説明する。図９はこの録画動作の流れを示すフローチャートであり、このフローに従って説明する。
最初に、５種類ある第１対応表（Ａ）〜（Ｅ）の中から最適な１つの第１対応表の選択が行われる。最適なデータ圧縮を行うための量子化テーブルが撮像環境により異なるため、その設定を行う。居住者により、来訪者がいない時に録画画質調整ボタン２７が押下されると、映像入力部２２がカメラ１４からの映像を取り込み、分割され個々の映像の複雑度が複雑度算出部２３で算出される。この時算出された複雑度の平均が４５００００だったとすると、第１対応表選択部２は第１記憶部２４から（Ａ）の第１対応表を選択して記憶する（Ｓ１１）。
また、この録画画質調整ボタン２７の操作で算出された９個のエリアの複雑度が複雑度記憶部４２に記憶される。
【００３５】
この設定状態で、来訪者により玄関子機１の呼出ボタン１１が操作されると、居室親機２ａの映像入力部２２はカメラ１４からの映像を取り込む。そして、取り込んだ映像を画面分割処理部４０が９つのエリアに分割し、複雑度算出部２３がエリア毎に複雑度を算出する。
算出した結果、複雑度が図８に示すように中心のａ５エリアが３４００００、それ以外のエリアが４４００００だったとすると、複雑度比較部４１は算出された複雑度と複雑度記憶部４２に記憶されている複雑度とを比較して、重点エリアを決定する（Ｓ１２）。
例えば、９分割された全てのエリアの複雑度が４５００００であったとすると、中心のａ５エリアの差が１１００００、他の９エリアの差が１００００となり、中心のａ５エリアが一番変化が大きくなるため、複雑度比較部４１はａ５エリアを重点エリアと判断する。即ち、複雑度の差が一番大きいエリアに人物が映っていると判断する。
【００３６】
映像圧縮制御部３６は、このａ５エリアについては圧縮後サイズが４ｋｂ（最大が４ｋｂ）になるよう、それ以外のエリアは２ｋｂ（最大が２ｋｂ）となるよう量子化テーブルを選択する（Ｓ１３）。具体的に、重点エリアのａ５エリアについては、予め選択されている（Ａ）の第１対応表において、１回目の圧縮処理の複雑度が３４００００であるため、複雑度３５００００以下かつ目標サイズ４ｋｂの欄の量子化テーブル［Ｑ９０］が選択される。そして、それ以外のエリアについては（Ａ）の第１対応表において、１回目の録画の複雑度４５００００以下かつ目標サイズ２ｋｂの欄の量子化テーブル［Ｑ５０］が選択される。
【００３７】
そして、第１圧縮部３１が、この選択された量子化テーブルを用いて、エリア毎に映像データをＪＰＥＧ画像へ圧縮して一時保存する（Ｓ１４）。この第１圧縮部３１で圧縮されたデータサイズをサイズ算出部３３が算出し、映像圧縮制御部３６がこのデータサイズから、映像を保存するか２回目の圧縮処理に進むか判断する。
具体的に、重点エリアに対しては４ｋｂ以下でそれに近い設定範囲内であるか判断（Ｓ１５）し、例えば３．４〜４ｋｂであれば、近いと判断して第１圧縮部３１が圧縮したデータを録画部３５へ保存する（Ｓ２０）。他のエリアに対しては２ｋｂ以下でそれに近い設定範囲無いであるは判断（Ｓ１５）し、例えば１．５〜２ｋｂであれば、近いと判断して第１圧縮部３１が圧縮したデータを録画部３５へ保存する。
【００３８】
重点エリアであるａ５エリアの圧縮したデータサイズが、例えば５．０ｋｂだった場合、サイズが上記範囲から外れて大きいサイズであるため、映像圧縮制御部３６は第２記憶部２５に記憶している図７（ａ）に示す第２対応表より、５ｋｂ以下の欄に関連付けられている［−１５］を選択する（Ｓ１６）。この結果、第２圧縮部３２が、量子化テーブルを−１５したＱ７５を使用して映像データをＪＰＥＧ画像へ圧縮し、一時保管する（Ｓ１７）。
また、他のエリアのデータサイズが、例えば１ｋｂであった場合、サイズが上記範囲から外れて小さいサイズであるため、第２対応表より＋１０を選択する（Ｓ１６）。この結果、第２圧縮部３２が、量子化テーブルを＋１０したＱ６０を使用して映像データをＪＰＥＧ画像へ圧縮し、一時保管する（Ｓ１７）。この第２圧縮部３２のデータ圧縮制御は、１回目のデータ圧縮で設定範囲に入らなかった全てのエリアに対して実施される。
【００３９】
こうして対象となっている全てのエリアの２回の圧縮が終了したら、サイズ算出部３３がデータサイズを算出し、サイズ比較部３４が第２圧縮部３２が圧縮したサイズと第１圧縮部３１が圧縮したサイズとを比較する（Ｓ１８）。比較した結果、上記所定の範囲に近いものが第２圧縮部３２の圧縮画像である場合、それを録画部３５へ録画する（Ｓ１９）。
但し、第１圧縮部３１の画像のサイズが、第２圧縮部３２の画像のサイズより所定の範囲に近い場合は、第１圧縮部３１の画像を録画部３５へ録画する（Ｓ２０）。
【００４０】
このように、カメラ撮像映像を複数のエリアに分割して処理することで、上記第１の形態の効果に加えて、個々のエリアにおける複雑度の変化から最も変化のあるエリアを認識することで、来訪者が撮像されているエリアを認識することができる。
そして、最も変化のあるエリアのみ高画質で圧縮録画する量子化テーブルを選択して圧縮することで、来訪者の識別をし易いし状態を保ちながら映像のデータサイズを十分小さくすることができる。
【００４１】
尚、上記第２の形態では、重点エリアを１つとしているが、複数としても良いし、分割数は９分割でなくとも良い。
【符号の説明】
【００４２】
１・・玄関子機、２・・居室親機、１４・・カメラ、２３・・複雑度算出部、２４・・第１記憶部、２５・・第２記憶部、２６・・第１対応表選択部、２７・・録画画質調整ボタン、３１・・第１圧縮部、３２・・第２圧縮部、３３・・サイズ算出部、３４・・サイズ比較部、３５・・録画部（映像記憶部）、３６・・映像圧縮制御部、４０・・映像分割処理部、４１・・複雑度比較部、４２・・複雑度記憶部。
【図１】
2011135493.tif 000003
【図２】
2011135493.tif 000004
【図３】
2011135493.tif 000005
【図４】
2011135493.tif 000006
【図５】
2011135493.tif 000007
【図６】
2011135493.tif 000008
【図７】
2011135493.tif 000009
【図８】
2011135493.tif 000010
【図９】
2011135493.tif 000011